(57)【要約】  例示的ディスペンサは、少なくとも１つのレールを有する基部と、カバーと、流体用の容器を有するリフィルユニットのための装着部とを含む。カバーは、閉位置と開位置との間で基部の少なくとも１つのレールに沿って摺動可能である。
2018531062.tif 000002
【特許請求の範囲】
【請求項１】
ディスペンサであって、
少なくとも１つのレールを有する基部と、
閉位置と開位置との間で前記基部の少なくとも１つのレールに沿って摺動可能なカバーと、
前記ディスペンサから取り外し可能なリフィルユニットであって、容器、ポンプ、および出口を備える、リフィルユニットと、
を備え、
前記カバーが前記開位置にあるとき、前記リフィルユニットは水平軸に沿って前記ディスペンサに挿入可能であり、
前記カバーが前記閉位置にあるとき、前記カバーは前記リフィルユニットの前記ポンプを少なくとも部分的に囲み、
前記リフィルユニットの少なくとも一部分は、前記カバーが前記閉位置にあり、かつ前記リフィルユニットが前記ディスペンサに設置されるときに露出する、ディスペンサ。
【請求項２】
ラッチを更に備え、
前記カバーはラッチ状態で前記ラッチによって前記閉位置に保持され、
前記カバーは、前記ラッチがラッチ解除状態であるとき、前記開位置に可動である、請求項１に記載のディスペンサ。
【請求項３】
前記ラッチは、
少なくとも１つのアクチュエータと、
少なくとも１つの解除部材と、
を備え、
前記少なくとも１つの解除部材は前記少なくとも１つのアクチュエータとは別に可動であり、
前記アクチュエータの移動は前記解除部材をラッチ位置からラッチ解除位置に移動させる、請求項２に記載のディスペンサ。
【請求項４】
鍵開孔と、
前記鍵開孔を通して嵌合するようにサイズ決めされた一部分を有する鍵と、
ロックアウト部材と、
を更に備え、
前記ロックアウト部材はロック位置からロック解除位置まで可動であり、
前記ロック位置での前記ロックアウト部材は前記少なくとも１つのアクチュエータの作動を防ぐ、請求項３に記載のディスペンサ。
【請求項５】
前記ロックアウト部材は、前記ロック解除位置と前記ロック位置との間で前記鍵部材によって移動する、請求項４に記載のディスペンサ。
【請求項６】
前記ロックアウト部材は、前記ロック位置から作動位置まで前記鍵によって可動である、請求項４に記載のディスペンサ。
【請求項７】
前記作動位置への前記ロックアウト部材の移動は、前記解除部材を前記ラッチ解除位置に移動させる、請求項６に記載のディスペンサ。
【請求項８】
前記解除部材は、一体型弾性的付勢部材を有する、請求項３に記載のディスペンサ。
【請求項９】
前記解除部材は、一体型ボルトを有する、請求項３に記載のディスペンサ。
【請求項１０】
前記アクチュエータは、一体型弾性的付勢部材を有する、請求項３に記載のディスペンサ。
【請求項１１】
前記アクチュエータは、一体型ボルトを有する、請求項３に記載のディスペンサ。
【請求項１２】
前記ロックアウト部材は、一体型弾性的付勢部材を有する、請求項４に記載のディスペンサ。
【請求項１３】
２つのアクチュエータを備える、請求項３に記載のディスペンサ。
【請求項１４】
どちらか一方のアクチュエータの作動は、前記解除部材を移動させる、請求項１３に記載のディスペンサ。
【請求項１５】
前記カバーは、前記開位置へ下方に摺動する、請求項１に記載のディスペンサ。
【請求項１６】
ディスペンサであって、
バッテリポッドを有するリフィルユニットと、
前記バッテリポッドを受容するための前記ディスペンサ上のレセプタクルと、
摺動カバーと、
を備え、
前記摺動カバーは下方に摺動して前記リフィルユニットへのアクセスを可能にし、
前記摺動カバーは上方に摺動して閉じ、前記リフィルユニットが取り外されるのを防ぐ、ディスペンサ。
【請求項１７】
第１の端部および第２の端部を有する少なくとも１つのレールと、
前記レールの前記第１の端部に配設されたラッチと、
前記レールの前記第１の端部での閉位置と、前記レールの前記第２の端部での開位置との間で前記少なくとも１つのレールに沿って摺動可能な摺動カバーと、
リフィルユニットであって、
容器と、
ポンプと、
ノズルと、を備える、リフィルユニットと、
を備え、
前記カバーが前記閉位置にあるとき、前記カバーは前記リフィルユニットの少なくとも一部分を覆い、前記リフィルユニットの一部分を露出したままにし、
前記カバーは前記ラッチによって前記閉位置に保持され、
前記リフィルユニットは、前記カバーが前記閉位置に保持されるときに取り外すことができない、ディスペンサ。
【請求項１８】
前記カバーは下方に摺動する、請求項１７に記載のディスペンサ。
【請求項１９】
前記ラッチは、
少なくとも１つのアクチュエータと、
解除部材と、
を更に備え、
前記少なくとも１つのアクチュエータの移動は、前記解除部材を移動させる、請求項１７に記載のディスペンサ。
【請求項２０】
前記解除部材は、前記アクチュエータが移動することなく移動可能である、請求項１９に記載のディスペンサ。
【請求項２１】
ロック状態とロック解除状態との間で可動なロック部材を更に備える、請求項２０に記載のディスペンサ。
【請求項２２】
前記ロック部材は、前記少なくとも１つのアクチュエータを係止する、請求項２１に記載のディスペンサ。
【請求項２３】
ロックアウト部材は、前記解除部材を移動させる、請求項２２に記載のディスペンサ。
【発明の詳細な説明】
【技術分野】
【０００１】
本出願は、２０１５年１０月８日に出願されたＳｌｉｄｅ  Ｏｐｅｎ  Ｒｅｆｉｌｌａｂｌｅ  Ｄｉｓｐｅｎｓｅｒｓと題する米国仮特許出願第６２／２３８，８９７号の優先権および利益を主張するものであり、その全体が参照により本明細書に組み込まれる。
【０００２】
本発明は、一般に液体石鹸および殺菌剤ディスペンサなどのディスペンサシステムに関する。
【背景技術】
【０００３】
石鹸および殺菌剤ディスペンサなどの液体および泡分注システムは、ディスペンサの作動時に所定量の液体または泡をユーザに提供する。壁掛け式である大部分の先行技術のディスペンサは、壁または表面に固定される基部を有する。カバーは、基部に（一般に底部に）ヒンジ式に連結される。カバーは回転して開く。リフィルユニットは、一般に下方に装填される。壁または装着面が基部を超えて延在するため、カバーは一般に、９０°のみ開くことが可能であり、背の低い人がディスペンサを詰め替えるのを困難にしている。加えて、カバーが開いている間、カバーはぶつけられ、壊されることもある。
【発明の概要】
【発明が解決しようとする課題】
【０００４】
可変出力を備えた、ディスペンサ、リフィルユニット、およびポンプの例示的実施形態を本明細書に開示する。
【課題を解決するための手段】
【０００５】
例示的な一実施形態では、ディスペンサは、少なくとも１つのレールを有する基部と、閉位置と開位置との間で少なくとも１つのレールに沿って摺動可能なカバーとを含む。ディスペンサはまた、ディスペンサから取り外し可能なリフィルユニットを含む。リフィルユニットは、容器と、ポンプと、出口とを有する。カバーが開位置にあるとき、リフィルユニットは、水平軸に沿ってディスペンサに挿入することができる。カバーが閉位置にあるとき、カバーは、リフィルユニットのポンプを少なくとも部分的に囲む。リフィルユニットの少なくとも一部分は、カバーが閉位置にあり、かつリフィルユニットがディスペンサに設置されるときに露出する。
【０００６】
例示的な別の実施形態では、ディスペンサは、バッテリポッドを有するリフィルユニットと、バッテリポッドを受容するためのディスペンサ上のレセプタクルと、摺動カバーとを含む。摺動カバーは、下方に摺動して開き、リフィルユニットへのアクセスを可能にし、摺動カバーは上方に摺動して閉じ、リフィルユニットが取り外されるのを防ぐ。
【０００７】
例示的な別の実施形態では、ディスペンサは、少なくとも１つのレールと、ラッチと、摺動カバーと、リフィルユニットとを含む。少なくとも１つのレールは、第１の端部および第２の端部を有し、ラッチはレールの第１の端部に配設される。摺動カバーは、レールの第１の端部での閉位置と、レールの第２の端部での開位置との間で少なくとも１つのレールに沿って摺動可能である。リフィルユニットは、容器と、ポンプと、ノズルとを含む。カバーが閉位置にあるとき、カバーは、リフィルユニットの少なくとも一部分を覆い、リフィルユニットの一部分を露出されたままにする。カバーは、ラッチによって閉位置に保持される。リフィルユニットは、カバーが閉位置にあるときに取り外すことができない。
【０００８】
本発明のこれらならびに他の特徴および利点は、以下の説明および添付図面に関してより良く理解されるであろう。
【図面の簡単な説明】
【０００９】
【図１Ａ】閉じたカバーを備えた例示的ディスペンサの斜視図である。
【００１０】
【図１Ｂ】閉じたカバーを備えた例示的ディスペンサに設置された例示的リフィルユニットの斜視図である。
【００１１】
【図１Ｃ】開いたカバーを備えた例示的ディスペンサの斜視図である。
【００１２】
【図１Ｄ】開いたカバーを備えた例示的ディスペンサに設置された例示的リフィルユニットの斜視図である。
【００１３】
【図１Ｅ】開いたカバーを備えた例示的ディスペンサに設置された例示的リフィルユニットの断面図である。
【００１４】
【図２Ａ】閉じたラッチを備えた、（天板を取り外した）例示的ディスペンサの立面図である。
【００１５】
【図２Ｂ】ロック解除されたラッチを備えた図２Ａの（天板を取り外した）例示的ディスペンサの立面図である。
【００１６】
【図２Ｃ】鍵を挿入し、作動部材を締め出し、かつカバーをその閉位置に係止した、図２Ａの（天板を取り外した）例示的ディスペンサの立面図である。
【００１７】
【図２Ｄ】作動部材を締め出し、かつカバーをロック解除するために鍵を使用した、図２Ａの（天板を取り外した）例示的ディスペンサの立面図である。
【発明を実施するための形態】
【００１８】
図１Ａ〜図１Ｅは、摺動カバー１１０を備えた例示的ディスペンサ１００を示す。ディスペンサは、２つのレール１０２を有する基部１０１を含む。カバー１１０は、レール１０２に摺動可能に取り付けられ、図１Ａおよび図１Ｂに示した閉位置と、図１Ｃ、図１Ｄおよび図１Ｅに示した開位置との間で摺動可能である。いくつかの実施形態では、基部１０１は、１つのレール１０２のみを有する。他の実施形態では、基部１０１は、３つ以上のレール１０２を有する。図示した実施形態は、開いたときに下方に摺動するカバー１１０を示すが、他の実施形態におけるカバーは、上方に、側面に、または任意の他の方向に摺動することができる。他の実施形態では、カバーは、カバーが開いたときに各々が異なる方向に摺動する、２つ以上の部分に分けられてもよい。
【００１９】
ディスペンサ１００は、カバー１１０に係合するラッチ（図示せず）を含む。図１Ａ〜図１Ｄでは、ラッチ（図示しないが、図２Ａ〜図２Ｃに関して詳細に記載する）は、基部１０１の天板１０４によって覆われる。ラッチ（図示せず）は、閉じたままであるように付勢され、作動部材１２２を押圧することによって開けられる。作動部材１２２を解除することにより、ラッチ（図示せず）を閉じることができる。閉じたラッチは、カバー１１０をその閉位置に保持する。ラッチを開けることにより、カバー１１０はその開位置に摺動することができる。開けたとき、カバー１１０は、ラッチの状態にかかわらず閉じることができる。ラッチは、作動部材１２２を押圧することによって開けられないように係止することができる。鍵（図示せず）を基部１０１における鍵開孔１０３に挿入することにより、ラッチを係止する。
【００２０】
いくつかの実施形態では、基部１０６は、レセプタクル１０７に受容されるリフィルユニット１５０（図１Ｂ、図１Ｄ、図１Ｅ）を少なくとも部分的に支持する。閉じたとき、カバー１１０およびリフィルユニット１５０は、基部１０６を隠す。カバー１１０を開けることにより、レセプタクル１０７へのアクセスを提供し、その結果、リフィルユニット１５０はディスペンサ１００のレセプタクル１０７に設置することができる。リフィルユニット１５０がディスペンサ１００に設置されるとき、リフィルユニット１５０のポンプ１５４は、ディスペンサ１００の駆動ユニット１３０によって係合される。駆動ユニット１３０は、ポンプ１５４を作動させて、リフィルユニット１５０から液体または泡を分注する。リフィルユニット１５０は、水平軸に沿って挿入される（かつ取り外される）。いくつかの実施形態では、そのために、バッテリポッド１６０は、リフィルユニット１５０上に配置され、ディスペンサ１００のバッテリレセプタクル１６２に係合する。カバー１１０は次に、リフィルユニット１５０の少なくとも一部分を覆うように閉じる。カバー１１０は、カバー１１０が閉じたときにリフィルユニット１５０が取り外されるのを防ぐ。いくつかの実施形態では、カバーは、リフィルユニット１５０のポンプ１５４および／または出口ノズル１５６を覆う。いくつかの実施形態では、カバー１１０は、ポンプ１５４および／またはノズル１５６を含むリフィルユニット１５０全体、ならびに容器１５２を覆う。いくつかの実施形態では、カバー１１０は、ポンプ１５４および／または容器１５２の一部分を覆う。
【００２１】
カバー１１０は、基部１０１のレール１０２に係合し、かつカバー１１０を閉位置と開位置との間で摺動するのを可能にするスライド１１２を含む。カバー１１０は、ディスペンサ１００に設置されるとき、リフィルユニット１５０の下部を囲む空洞１１４を形成する。カバー１１０の底面における開孔１１６により、リフィルユニット１５０から分注された流体または泡は、使用するためにディスペンサ１１０から出ることが可能となる。任意のしずく受け１０８は、リフィルユニット１５０から分注された未使用の流体を捕捉するように装着部１０６およびカバー１１０の下の基部１０１に取り付けられる。
【００２２】
図２Ａ、図２Ｂ、図２Ｃおよび図２Ｄは、ラッチ２０１を有する例示的ディスペンサ２００を示す。
ラッチ２０１は、上記で呼んだラッチの例示的実施形態である。ラッチ２０１は、ラッチ２０１の構成要素をより明確に示すように天板１０４を取り外すことによって露出する。図２Ａにおいて掛止され、かつ図２Ｂにおいて掛止解除された、ラッチ２０１を示す。アクチュエータ２３２、２４２は、図２Ｃおよび図２Ｄでは係止される。図２Ｃにおいて掛止され、かつ図２Ｄにおいて掛止解除された、ラッチ２０１を示す。
【００２３】
ラッチ２０１に加えて、ディスペンサ２００は、背板２０２と、カバー２１０とを含む。ラッチ２０１は、解除部材２２０と、２つの作動部材２３０、２４０と、ロックアウト部材２５０とを含む。背板における開口部２０３により、ディスペンサ２００はねじ（図示せず）または他の締結手段で壁または他の表面に取り付けられるのが可能となる。いくつかの実施形態では、ディスペンサ２００は、両面テープ（図示せず）によって装着面に固定される。ラッチ２０１の解除部材２２０、２つの作動部材２３０、２４０、ロックアウト部材２５０は、保持具２０４によって背板２０２に保持される。保持具２０４により、これらの構成要素は略直線方向に移動することができる。いくつかの実施形態では、これらの構成要素は、ラッチ２０１の動作中に背板２０２に向かって、またはそれから離れて回転、移動することができる。
【００２４】
カバー２１０は、ディスペンサ２００のレール２１１に沿って摺動するスライド２１２を含み、カバー２１０が閉位置と開位置との間で摺動することを可能にする。各スライド２１２は、ラッチ開孔２１６を備えた捕捉部２１４を有する。
【００２５】
解除部材２２０は、角度が付けられたカム面２２２と、ボルト部材２２４と、ばね部材２２６とを含む。解除部材２２０は、閉位置（図２Ａ、図２Ｃ）と開位置（図２Ｂ、図２Ｄ）との間で可動である。作動部材２３０および／または２４０によるカム面２２２の係合は、解除部材２２０を閉位置から開位置へ下方に移動させる。開位置では、ボルト部材２２４の弾性脚部２２５は、背板２０２から延在する突起２０５に沿って摺動し、ボルト部材２２４は、ボルト溝２０６に沿って内方に、かつスライド２１２の係止開孔２１６から出て引き寄せられ、カバー２１０が下方に摺動され得るようにそのカバーを掛止解除する。
【００２６】
同時に、ばね部材２２６は、突起２０７に押し付けられ、弾性的に変形され、解除部材２２０に作用する下向きの力に抵抗する。カム面２２２に加えられた力が取り除かれると、ばね部材２２６は、元の形状に戻り、解除部材２２０をその閉位置へ上方に押し、それによりボルト溝２０６を通して外方にボルト部材２２４を延ばす。カバー２１０がその定位置へ上方に後退するとき、ボルト部材２２４は、ラッチ開孔２１６の中に摺動し、カバー２１０を適所に掛止する。ボルト部材２２４の脚部２２５はまた、突起２０５に対して付勢し、解除部材２２０をそのラッチ位置に戻すのに役立つ。
【００２７】
解除部材２２０がラッチ位置にあるとき、ボルト部材２２４は、カバー２１０のラッチ開孔２１６の中に延び、カバー２１０をその閉位置に保持する。解除部材２２０がそのラッチ解除位置に移動するとき、ボルト部材２２４は、ラッチ開孔２１６から後退し、カバー２１０は開くことができる。解除部材２２０は、カバー２１０が開いた後にそのラッチ位置に付勢され、カバー２１０を閉じるように再度手動で移動する必要がない。カバー２１０のスライド２１２は、カバー２１０が作動部材２３０および／または２４０を移動させることなく閉じ得るように傾斜部２１８を含む。カバー２１０が上方に移動すると、スライド２１２の傾斜部２１８は、ボルト部材２２４をボルト溝２０６の中に後退させ、その結果、カバー２１０は閉じることができる。カバー２１０が閉位置に達するとき、ボルト部材２２４は、そのラッチ位置に戻り、ラッチ開孔２１６に係合してカバー２１０を適所に固定する。
【００２８】
作動部材２３０、２４０は各々、アクチュエータ２３２、２４２と、ばね部材２３４、２４４とを含む。作動部材２３０、２４０は、静止位置（図２Ａ、図２Ｃ、図２Ｄ）と作動位置（図２Ｂ）との間で可動である。作動部材２３０、２４０は、アクチュエータ２３２、２４２を内方に押圧することによって動かされる。作動部材２３０、２４０のうちの１つまたは両方を内方に移動させることは、解除部材２２０のカム面２２２に対して傾斜面２３３、２４３を押圧し、解除部材２２０をラッチ位置からラッチ解除位置に移動させる。ばね部材２３４、２４４は、突起２０７に押し付けられ、弾性的に変形され、作動中にアクチュエータ２３２、２４２に作用する内向きの力に抵抗する。アクチュエータ２３２、２４２への力が取り除かれるとき、ばね部材２３４、２４４は、元の形状に戻り、作動部材２３０、２４０をその静止位置へ外方に押し、それにより解除部材２２０のカム面２２２から作動力を取り除く。ラッチ２０１は、作動部材２３０、２４０のうちの１つまたは両方によって作動することができる。
【００２９】
不正者によってディスペンサ２００に設置されたリフィルユニット（図示せず）に手を加えるのを防ぐために、作動部材２３０、２４０は、ロックアウト部材２５０に係止することができる。作動部材２３０、２４０を係止することより、作動部材２３０、２４０が内方に移動して解除部材２２０に係合するのを防ぐ。ロックアウト部材２５０は、遮断部２５２と、第１の開口部２５４と、第２の開口部２５６と、少なくとも１つのばね部材２５８とを含む。ロックアウト部材２５０は、ロック解除位置（図２Ａ、図２Ｂ）とロック位置（図２Ｃ）と作動位置（図２Ｄ）との間で可動である。ロック解除位置では、背板２０２からの傾斜突起２０８は、第１の開口部２５４内に位置し、作動部材２３０、２４０が誤って締め出されないように、ロックアウト部材２５０の移動を制限する。作動部材２３０、２４０は、ディスペンサ２００内の鍵開孔２０９を通して鍵２５１を挿入して、ロックアウト部材２５０をそのロック位置まで下方に押すことによって締め出され、傾斜突起２０８によってもたらされた抵抗を克服する。ロック位置では、傾斜突起２０８は、ロックアウト部材２５０の第２の開口部２５４に位置し、ロックアウト部材２５０がロック解除位置に戻るのを防ぐ。
【００３０】
ロック位置では、ロックアウト部材２５０は、２つの作動部材２３０と作動部材２４０との間に配設され、それらの作動部材が内方に移動してラッチ２０１を掛止解除するのを防ぐ。しかし、ラッチ２０１は依然として、鍵２５１を鍵開孔２０９に挿入し、かつロックアウト部材２５０をそのロック位置を超える作動位置に押し込むことによって掛止解除することができる。ラッチ２０１が係止された間にそのラッチを掛止解除するために、鍵２５１は、解除部材２２０の作動面２２３に係合するまで、ロックアウト部材２５０を下方に押す鍵開孔２０９を通して挿入される。鍵２５１の更なる下方移動により、解除部材２２０がその閉位置から開位置へ下方に押され、それによりラッチ２０１を掛止解除し、カバー２１０を解放する。ロックアウト部材２５０の下方移動は、突起２０７に対してばね部材２５８を押し付け、そのばね部材を弾性に変形させる。鍵２５１に加えられた力が取り除かれると、ばね部材２５８は、その元の形状に戻り、ロックアウト部材２５０をそのロック位置に押し返す。その後、解除部材２２０は、そのラッチ位置に戻ることが可能であり、ラッチ２０１を掛止する。
【００３１】
本発明はその実施形態の説明によって例示されており、実施形態はかなり詳細に記載されているが、添付の特許請求の範囲をそのように詳細に制限またはいかなる方法で限定することは出願人の意図するものではない。追加の利点および変更が当業者に容易になるであろう。さらに、一実施形態とともに記載した要素は、他の実施形態とともに使用するのに容易に適合することができる。それ故に、本発明は、そのより広範な態様において、図示および記載した特定の詳細、代表的な装置、および例示的実施例に限定されない。したがって、出願人の一般的発明の概念の趣旨または範囲から逸脱することなく、そのような詳細からの逸脱が行われ得る。
【図１Ａ】
2018531062.tif 000003
【図１Ｂ】
2018531062.tif 000004
【図１Ｃ】
2018531062.tif 000005
【図１Ｄ】
2018531062.tif 000006
【図１Ｅ】
2018531062.tif 000007
【図２Ａ】
2018531062.tif 000008
【図２Ｂ】
2018531062.tif 000009
【図２Ｃ】
2018531062.tif 000010
【図２Ｄ】
2018531062.tif 000011
【国際調査報告】
2018531062.tif 000012
2018531062.tif 000013
2018531062.tif 000014
2018531062.tif 000015